【手続補正書】
【提出日】平成28年1月7日(2016.1.7)
【手続補正１】
【補正対象書類名】特許請求の範囲
【補正対象項目名】全文
【補正方法】変更
【補正の内容】
【特許請求の範囲】
【請求項１】
画像を入力する入力手段と、
前記画像の画像特徴を抽出する抽出手段と、
前記画像と前記画像特徴とを関連付けて記憶する記憶手段と、
前記記憶手段に記憶されている画像特徴の数、もしくは、前記記憶手段に記憶されている画像特徴に関連付けられた画像の数に基づいて、前記入力手段で入力された検索元画像について前記抽出手段で抽出した画像特徴のうち検索元画像の検索のために使用する画像特徴と使用を制限する画像特徴とに選別する選別手段と、
前記検索元画像の検索のために使用すると選別された画像特徴と、前記記憶手段に記憶されている登録画像の画像特徴との比較を行う比較手段と、
を有することを特徴とする画像検索装置。
【請求項２】
前記記憶手段に記憶されている画像特徴の数、もしくは、前記記憶手段に記憶されている画像特徴に関連付けられた画像の数が、所定数よりも多い画像特徴をまとめた多出現画像特徴リストを生成する生成手段を更に有し、
前記選別手段は、前記多出現画像特徴リストに存在する画像特徴に基づいて検索元画像の検索のために使用する画像特徴と使用を制限する画像特徴とに選別することを特徴とする請求項１に記載の画像検索装置。
【請求項３】
前記比較手段で使用する前記検索元画像の画像特徴のサイズ或いは画像特徴の個数が予め定められていることを特徴とする請求項１または２に記載の画像検索装置。
【請求項４】
前記所定数は、固定値であることを特徴とする請求項１から３のいずれか１項に記載の画像検索装置。
【請求項５】
前記所定数は、前記記憶手段に記憶されている画像特徴の総登録数、もしくは、前記記憶手段に画像特徴と関連付けられて記憶されている総画像数に応じて決まる可変値であることを特徴とする請求項１から３のいずれか１項に記載の画像検索装置。
【請求項６】
前記所定数は、前記記憶手段に画像特徴と関連付けられて記憶されている総画像数に応じて、可変値か固定値かを決められることを特徴とする請求項１から３のいずれか１項に記載の画像検索装置。
【請求項７】
前記抽出手段で抽出される画像特徴は、Ｈａｒｒｉｓ作用素を作用させて得られた局所特徴点と該局所特徴点に対応する局所特徴量とであることを特徴とする請求項１または２に記載の画像検索装置。
【請求項８】
前記選別手段では、前記多出現画像特徴リストと一致する画像特徴の全てもしくは一部を前記検索元画像の画像特徴から除外することにより選別することを特徴とする請求項２に記載の画像検索装置。
【請求項９】
前記選別手段では、前記多出現画像特徴リストと一致する画像特徴の全てもしくは一部を前記検索元画像の画像特徴において識別することにより選別することを特徴とする請求項２に記載の画像検索装置。
【請求項１０】
前記選別手段では、前記比較手段で使用することが予め定められた前記検索元画像の画像特徴のサイズ或いは画像特徴の個数に基づいて検索元画像の画像特徴を選別することを特徴とする請求項１または２に記載の画像検索装置。
【請求項１１】
画像に対応する画像特徴を記憶する記憶手段と、
前記記憶手段に記憶されている画像特徴の登録数、もしくは、前記記憶手段に記憶されている画像特徴と関連付けられた画像数に関する情報を、要求に応じて要求元に送信する送信手段と、
前記記憶手段に記憶されている画像特徴の登録数、もしくは、前記記憶手段に記憶されている画像特徴と関連付けられた画像数に関する情報に基づいて、検索元画像の検索のために使用する画像特徴として要求元で選別された画像特徴を受信する受信手段と、
前記受信した検索元画像の画像特徴と前記記憶手段に記憶された画像特徴との比較を行う比較手段と、
を有することを特徴とする画像検索装置。
【請求項１２】
検索元画像を入力する入力手段と、
前記検索元画像の画像特徴を抽出する抽出手段と、
多出現画像特徴リストを画像検索装置から受信する受信手段と、
前記検索元画像の画像特徴のうち、前記多出現画像特徴リストに存在する画像特徴に基づいて検索元画像の検索のために使用する画像特徴と使用を制限する画像特徴とに選別する選別手段と、
前記検索元画像の検索のために使用すると選別された画像特徴を前記画像検索装置に送信する送信手段と、
を有することを特徴とする検索元画像提供装置。
【請求項１３】
画像を入力する入力工程と、
前記画像の画像特徴を抽出する抽出工程と、
前記画像と前記画像特徴とを関連付けて記憶手段に記憶させる工程と、
前記記憶手段に記憶されている画像特徴の数、もしくは、前記記憶手段に記憶されている画像特徴と関連付けられた画像の数に基づいて、前記入力工程で入力された検索元画像について前記抽出工程で抽出した画像特徴のうち検索元画像の画像特徴と使用を制限する画像特徴とに選別する選別工程と、
前記検索元画像の検索のために使用すると選別された画像特徴と、前記記憶手段に記憶されている登録画像の画像特徴との比較を行う比較工程と、
を有することを特徴とする画像検索方法。
【請求項１４】
画像に対応する画像特徴を記憶手段に記憶させる工程と、
前記記憶手段に記憶されている画像特徴の登録数、もしくは、前記記憶手段に記憶されている画像特徴と関連付けられた画像数に関する情報を、要求に応じて要求元に送信する送信工程と、
前記記憶手段に記憶されている画像特徴の登録数、もしくは、前記記憶手段に記憶されている画像特徴と関連付けられた画像数に関する情報に基づいて、検索元画像の検索のために使用する画像特徴として要求元で選別された画像特徴を受信する受信工程と、
前記受信した検索元画像の画像特徴と前記記憶手段に記憶された画像特徴との比較を行う比較工程と、
を有することを特徴とする画像検索方法。
【請求項１５】
検索元画像を入力する入力工程と、
前記検索元画像の画像特徴を抽出する抽出工程と、
多出現画像特徴リストを画像検索装置から受信する受信工程と、
前記検索元画像の画像特徴のうち、前記多出現画像特徴リストに存在する画像特徴に基づいて検索元画像の画像特徴として使用する画像特徴と使用を制限する画像特徴とに選別する選別工程と、
前記検索元画像の画像特徴として使用すると選別された画像特徴を前記画像検索装置に送信する送信工程と、
を有することを特徴とする検索元画像提供方法。
【請求項１６】
コンピュータを、
画像を入力する入力手段と、
前記画像の画像特徴を抽出する抽出手段と、
前記画像と前記画像特徴とを関連付けて記憶手段に記憶させる手段と、
前記記憶手段に記憶されている画像特徴の数、もしくは、前記記憶手段に画像特徴と関連付けられて記憶されている画像の数に基づいて、前記入力手段で入力された検索元画像について前記抽出手段で抽出した画像特徴のうち、検索元画像の検索のために使用する画像特徴と使用を制限する画像特徴とに選別する選別手段と、
前記検索元画像の画像特徴として使用すると選別された画像特徴と、前記記憶手段に記憶されている登録画像の画像特徴との比較を行う比較手段と、
として機能させるためのプログラム。
【請求項１７】
コンピュータを、
画像に対応する画像特徴を記憶手段に記憶させる手段と、
前記記憶手段に記憶されている画像特徴の登録数、もしくは、前記記憶手段に画像特徴と関連付けられて記憶されている画像数に関する情報を、要求に応じて要求元に送信する送信手段と、
前記記憶手段に記憶されている画像特徴の登録数、もしくは、前記記憶手段に画像特徴と関連付けられて記憶されている画像数に関する情報に基づいて、検索元画像の検索のために使用する画像特徴として要求元で選別された画像特徴を受信する受信手段と、
前記受信した検索元画像の画像特徴と前記記憶手段に記憶された画像特徴との比較を行う比較手段と、
として機能させるためのプログラム。
【請求項１８】
コンピュータを、
検索元画像を入力する入力手段と、
前記検索元画像の画像特徴を抽出する抽出手段と、
多出現画像特徴リストを画像検索装置から受信する受信手段と、
前記検索元画像の画像特徴のうち、前記多出現画像特徴リストに存在する画像特徴に基づいて検索元画像の画像特徴として使用する画像特徴と使用を制限する画像特徴とに選別する選別手段と、
前記検索元画像の画像特徴として使用すると選別された画像特徴を前記画像検索装置に送信する送信手段と、
として機能させるためのプログラム。
【手続補正２】
【補正対象書類名】明細書
【補正対象項目名】００１２
【補正方法】変更
【補正の内容】
【００１２】
本発明に係る画像検索装置は、画像を入力する入力手段と、前記画像の画像特徴を抽出する抽出手段と、前記画像と前記画像特徴とを関連付けて記憶する記憶手段と、前記記憶手段に記憶されている画像特徴の数、もしくは、前記記憶手段に記憶されている画像特徴に関連付けられた画像の数に基づいて、前記入力手段で入力された検索元画像について前記抽出手段で抽出した画像特徴のうち検索元画像の検索のために使用する画像特徴と使用を制限する画像特徴とに選別する選別手段と、前記検索元画像の検索のために使用すると選別された画像特徴と、前記記憶手段に記憶されている登録画像の画像特徴との比較を行う比較手段と、を有する。